(57)【要約】  【課題】  本発明は、アンテナの種類を自動的に判別し、判別した情報に基づいて引き込み処理（キャリア同期処理）に対応するパラメータ設定を行う受信装置を提供することを目的とする。  【解決手段】  設定動作時において、アンテナ接続端子２に接続されたアンテナ１の種類について、アンテナ自動判別部８において判別される。このとき、アンテナ自動判別部８は、ＡＤ変換部５より与えられるデジタル信号となるベースバンド信号に基づいて、アンテナ１の受信電力の変動を測定し、その変動量によってアンテナ１の種類の判別を行う。【選択図】      図１
2008060832.tif 000002
【特許請求の範囲】
【請求項１】
デジタル放送信号を選局してベースバンド信号を取得するチューナ部と、該チューナ部で得られた前記ベースバンド信号に基づいて送信側の送信周波数との同期をとる周波数制御部と、該周波数制御部で周波数同期が成された前記ベースバンド信号を復調する復調部と、を備える受信装置において、
前記周波数制御部において使用される制御用パラメータを、前記チューナ部に接続されるアンテナの種類に応じた制御用パラメータに設定するパラメータ設定部を、備え、
前記パラメータ設定部が、前記アンテナの指向性の違いに基づいて検出された前記アンテナの種類に対する前記制御用パラメータによって前記周波数制御部の設定を行うことを特徴とする受信装置。
【請求項２】
前記チューナ部からの前記ベースバンド信号の値に基づいて測定された前記アンテナの受信電力の大きさによって、前記アンテナの種類が判別されることを特徴とする請求項１に記載の受信装置。
【請求項３】
前記アンテナの受信電力の測定が行われる測定期間が複数設けられ、該測定期間の間には前記アンテナの受信電力の測定を行わない期間が配されることを特徴とする請求項２に記載の受信装置。
【請求項４】
前記アンテナの種類を判別する自動アンテナ判別部を備えることを特徴とする請求項１〜請求項３のいずれかに記載の受信装置。
【請求項５】
前記アンテナの種類毎の前記制御用パラメータを記憶するアンテナ制御情報記憶部を備え、
判別された前記アンテナの種類に応じた前記制御用パラメータが前記アンテナ制御情報記憶部より読み出されて、前記パラメータ設定部が、前記アンテナ制御情報記憶部より読み出された前記制御用パラメータによって前記周波数制御部の設定を行うことを特徴とする請求項１〜請求項４のいずれかに記載の受信装置。
【請求項６】
外部と通信するためのインターフェースを備え、
前記インターフェースで接続された外部の装置より、前記アンテナの種類に応じた前記制御用パラメータを受信して、前記パラメータ設定部が、前記インターフェースで受信した前記制御用パラメータによって前記周波数制御部の設定を行うことを特徴とする請求項１〜請求項４のいずれかに記載の受信装置。
【請求項７】
前記インターフェースで接続された外部の装置において前記アンテナの種類の判別が行われることを特徴とする請求項６に記載の受信装置。
【発明の詳細な説明】
【技術分野】
【０００１】
本発明は、放送信号などの無線信号を受信する受信装置に関するもので、特に、複数種類のアンテナと接続可能な受信装置に関する。
【背景技術】
【０００２】
近年、通信技術の発展により、各種放送におけるデジタル化が進み、地上波テレビ放送においてもアナログ放送からデジタル放送へ移行されつつある。この地上波デジタルテレビ放送において、複数のキャリアを同時に用いたマルチキャリア伝送方式であるＯＦＤＭ（Orthogonal Frequency Division Multiplexing）方式が採用されている（特許文献１参照）。このＯＦＤＭ方式を利用したデジタル放送の受信装置において、所望するチャンネルの放送信号を受信するために、所望するチャンネル周波数に対する周波数同期のための引き込み処理（キャリア同期処理）が行われる（特許文献２参照）。
【０００３】
この引き込み処理が行われるとき、所望するチャンネルに対する同期周波数制御値（キャリア周波数）へ収束するための制御ループが実現される。又、引き込み処理による同期周波数制御値への収束時間を短くするために、同期周波数制御値を変化させる変化幅である周波数オフセット補正制御ステップ幅が大きく設定される。この周波数オフセット補正制御ステップ幅は、サブキャリア間隔以内の周波数誤差（周波数オフセット）によって設定される値であり、同期周波数制御値を得るための制御ループに対するループゲインに相当する。
【０００４】
このループゲインを大きく設定することにより、同期周波数制御値への収束は早くなるが、周波数同期の精度が劣化する。そのため、引き込み処理において、過渡状態となる引き込み期間では、ループゲインを大きく設定し、そして、引き込み期間が終了して定常状態となると、ループゲインの値を小さくすることで、周波数制御値の変動を小さくして、周波数同期の精度を向上させることが考えられる。
【特許文献１】特開２００６−６６９５９号公報
【特許文献２】ＷＯ  ０３／０３２５４３号公報
【発明の開示】
【発明が解決しようとする課題】
【０００５】
しかしながら、受信装置に利用されるアンテナとして、無指向性の一般的なアンテナと、平面アンテナなどの指向性の操作できる特殊なアンテナが用いられる。そして、この指向性の異なるアンテナが接続された受信装置それぞれにおいて、移動受信時に発生する周波数オフセットの変動値が異なるため、同期周波数制御値へ収束させる引き込み処理において、その制御ループにおけるループゲイン（周波数オフセット補正制御ステップ幅）やループフィルタ内の積分時間などの各種パラメータの最適値が、接続するアンテナの指向性によって異なるものとなる。よって、一般的なアンテナ用に各種パラメータが設定された受信装置に、指向性の操作できる特殊なアンテナが接続された場合、又は、その逆となる場合、引き込み処理における同期精度が最適なものとならず、受信性能が劣化する恐れがある。
【０００６】
このような問題を鑑みて、本発明は、アンテナの種類を自動的に判別し、判別した情報に基づいて引き込み処理（キャリア同期処理）に対応するパラメータ設定を行う受信装置を提供することを目的とする。
【課題を解決するための手段】
【０００７】
上記目的を達成するために、本発明の受信装置は、デジタル放送信号を選局してベースバンド信号を取得するチューナ部と、該チューナ部で得られた前記ベースバンド信号に基づいて送信側の送信周波数との同期をとる周波数制御部と、該周波数制御部で周波数同期が成された前記ベースバンド信号を復調する復調部と、を備える受信装置において、前記周波数制御部において使用される制御用パラメータを、前記チューナ部に接続されるアンテナの種類に応じた制御用パラメータに設定するパラメータ設定部を、備え、前記パラメータ設定部が、前記アンテナの指向性の違いに基づいて検出された前記アンテナの種類に対する前記制御用パラメータによって前記周波数制御部の設定を行うことを特徴とする。
【０００８】
このような受信装置によると、判別した前記アンテナの種類に応じて、前記パラメータ設定部が前記周波数制御部のパラメータ設定を行うことができる。よって、無指向性の一般アンテナの場合と指向性の操作ができる特殊アンテナの場合とによって、前記周波数制御部の演算処理に用いる前記制御用パラメータを適する値とし、通常動作時において、周波数同期（キャリア同期）となる引き込み処理にかかる時間を短く、精度良く行うことができる。尚、前記パラメータ設定部は、発明を実施するための最良の形態におけるＡＦＣ制御部１０に相当する。
【０００９】
このとき、前記チューナ部からの前記ベースバンド信号の値に基づいて測定された前記アンテナの受信電力の大きさによって、前記アンテナの種類が判別されるものとすることで、指向性の異なる前記アンテナの受信電力の変動率の差異を利用して、前記アンテナの種類を簡単に判別することができる。そして、前記アンテナの受信電力の測定が行われる測定期間が複数設けられ、該測定期間の間には前記アンテナの受信電力の測定を行わない期間が配されるものとすることで、前記アンテナの種類の判別を統計的に信頼度の高いものとすることができる。
【００１０】
更に、前記アンテナの種類を判別する自動アンテナ判別部を備えるものとすることで、自機器自身で前記アンテナの種類を判別して、前記周波数制御部の設定を行うことができる。
【００１１】
又、前記アンテナの種類毎の前記制御用パラメータを記憶するアンテナ制御情報記憶部を備え、判別された前記アンテナの種類に応じた前記制御用パラメータが前記アンテナ制御情報記憶部より読み出されて、前記パラメータ設定部が、前記アンテナ制御情報記憶部より読み出された前記制御用パラメータによって前記周波数制御部の設定を行うものとしても構わない。
【００１２】
自機器において前記周波数制御部を設定するための前記制御用パラメータを備えることができるため、新たに前記制御用パラメータを取得することなく、自機器で簡単に前記周波数制御部の設定を行うことができる。
【００１３】
又、外部と通信するためのインターフェースを備え、前記インターフェースで接続された外部の装置より、前記アンテナの種類に応じた前記制御用パラメータを受信して、前記パラメータ設定部が、前記インターフェースで受信した前記制御用パラメータによって前記周波数制御部の設定を行うものとしても構わない。
【００１４】
これにより、自機器で前記制御用パラメータを複数種類記憶するためのメモリなどを備える必要がなくなるため、受信装置の小型化を図ることができる。又、前記インターフェースで接続された外部の装置において前記アンテナの種類の判別が行われるものとすることで、自機器が前記アンテナの種類の判別を行うための機能を備えていなくても、前記周波数制御部の設定を行うことができる。
【発明の効果】
【００１５】
本発明によると、アンテナの種類を判別して、判別したアンテナの種類に応じて自動周波数制御部のパラメータ設定を行うことができる。
【発明を実施するための最良の形態】
【００１６】
＜第１の実施形態＞
本発明の第１の実施形態について、図面を参照して説明する。図１は、本実施形態における受信装置の内部構成を示すブロック図である。
【００１７】
図１の受信装置は、アンテナ１と接続されるアンテナ接続端子２と、アンテナ接続端子２を介して入力されるデジタル放送信号である高周波帯域（ＲＦ帯域）のＲＦ信号を中間周波数帯域（ＩＦ帯域）のＩＦ信号に周波数変換するチューナ３と、チューナ３から出力されるＩＦ信号を直交復調することでベースバンド信号に復調する直交復調部４と、直交復調部４で得られたベースバンド信号をアナログ／デジタル変換するＡＤ変換部５と、ＡＤ変換部５で得られたデジタル信号となったベースバンド信号に対して引き込み処理（キャリア同期処理）を行う自動周波数制御部（ＡＦＣ部）６と、ＡＦＣ部６で引き込み処理が成されたベースバンド信号に対して高速フーリエ変換（ＦＦＴ）及び等化処理を施して復調を行う復調部７と、を備える。
【００１８】
この図１の受信装置は、更に、ＡＤ変換部５で得られたデジタル信号となったベースバンド信号が与えられてアンテナ接続端子２に接続されたアンテナ１の種類を判別するアンテナ自動判別部８と、アンテナの種類毎にＡＦＣ部６で利用される各パラメータを記録するアンテナ制御情報記憶部９と、アンテナ制御情報記憶部９に記録されたパラメータを読み出してＡＦＣ部６に与えるＡＦＣ制御部１０と、を備えることで、アンテナ１の種類を判別して最適なパラメータをＡＦＣ部６に与える。
【００１９】
このように構成される受信装置は、アンテナ１で受信されたＯＦＤＭ方式によるデジタル放送信号がアンテナ接続端子２を介してチューナ３に供給されると、チューナ３では、所望のチャンネルに応じたチャンネル周波数に対して選局動作を行う。これにより、チューナ３において、所望のチャンネルに応じたデジタル放送信号であるＲＦ信号がＩＦ信号に変換された後、直交復調部４で直交復調が施されることで、所望のチャンネルによるデジタル放送信号のベースバンド信号が得られる。このベースバンド信号がＡＤ変換部５でアナログ信号からデジタル信号に変換されて、ＡＦＣ部６に与えられる。
【００２０】
ＡＦＣ部６では、ベースバンド信号が与えられると、送信側と受信側の周波数誤差（周波数オフセット）を確認して、この周波数オフセットによる補正を行うための制御ループを動作させることで、引き込み処理を行って、送信側の送信周波数に同期させる。このとき、与えられるベースバンド信号はＯＦＤＭ方式による信号であるため、１シンボル毎に、データとなる有効シンボル期間信号と、この有効シンボル期間信号の最初の部分によって成るガード期間信号とを備える。よって、ＡＦＣ部６では、有効シンボル期間信号の最初の部分とガード帰還信号との相関を利用して、周波数オフセットを確認し、ベースバンド信号のキャリア周波数に対して設定された周波数オフセット補正値で補正することで、引き込み処理を行う。
【００２１】
引き込み処理されることで送信側のキャリア周波数と同期したベースバンド信号が復調部７に与えられると、まず、このベースバンド信号内の有効シンボル期間信号に対してＦＦＴ処理して、周波数領域に変換する。そして、ＦＦＴ処理後に得られた信号に対して、各サブキャリア毎に、その変調方式（ＱＡＭ変調方式やＱＰＳＫ変調方式など）に応じて検波を行った後、デマッピングを施すことによって復号化する。
【００２２】
（初期設定動作）
このような受信動作を移動通信時に行う受信装置において、初期設定動作として、アンテナ接続端子２に接続するアンテナ１の種類を判別する判別動作が行われて、判別されたアンテナ１の種類に応じたパラメータがアンテナ制御情報記憶部９より読み出されて、ＡＦＣ部６のパラメータ設定を行う。即ち、アンテナ１として、無指向性の一般的なアンテナ（以下、「一般アンテナ」と呼ぶ）と、平面アンテナのように指向性の切換可能な特殊なアンテナ（以下、「特殊アンテナ」と呼ぶ）のいずれが使用されているかが判別され、その判別結果に応じたパラメータによってＡＦＣ部６が初期設定される。この初期設定動作を行う場合、受信装置は移動することなく固定された状態で通信を行う。このときの動作について、図２に示すフローチャートを参照して説明する。
【００２３】
アンテナ１がアンテナ接続端子２に接続されて初期設定動作が開始されると（ＳＴＥＰ１）、チューナ３による選局動作が行われるとともに、直交復調部４による直交復調動作が行われた後、更に、ＡＤ変換部５によるアナログ／デジタル変換が行われることで、デジタル信号となるベースバンド信号がアンテナ自動判別部８に与えられる（ＳＴＥＰ２）。そして、アンテナ自動判別部８では、ＡＤ変換部５より与えられるデジタル信号に基づいて受信電力が計測され、計測された受信電力の変動量に基づいてアンテナ１の種類の判別が行われる（ＳＴＥＰ３）。尚、このＳＴＥＰ３におけるアンテナ自動判別部８のアンテナ自動判別動作については、後述する。
【００２４】
そして、ＳＴＥＰ３におけるアンテナ自動判別動作の結果より、判別されたアンテナ１の種類が一般アンテナであるか否かが確認される（ＳＴＥＰ４）。このとき、一般アンテナであることが確認されると（ＳＴＥＰ４  Ｙｅｓ）、一般アンテナに対するパラメータがアンテナ制御情報記憶部９より読み出されてＡＦＣ制御部１０に与えられる（ＳＴＥＰ５）。又、特殊アンテナであることが確認されると（ＳＴＥＰ４  Ｎｏ）、特殊アンテナに対するパラメータがアンテナ制御情報記憶部９より読み出されてＡＦＣ制御部１０に与えられる（ＳＴＥＰ６）。そして、ＡＦＣ制御部１０が、アンテナ制御情報記憶部９より読み出されたパラメータに基づいて、ＡＦＣ部６のパラメータ設定を行う（ＳＴＥＰ７）。
【００２５】
このようにして初期設定動作を行うときにアンテナ制御情報記憶部９より読み出されるパラメータについて、以下に説明する。まず、アンテナ１を一般アンテナ又は特殊アンテナとしたときに生じる周波数オフセットについて、図３を参照して説明する。この周波数オフセットは、通常の受信動作を行っているとき、ＡＦＣ部６において引き込み処理を行うときの制御ループで確認されるものである。よって、確認された周波数オフセットが制御ループで帰還されることで、送信側のキャリア周波数に同期するように同期周波数制御値が変更されて、同期周波数制御値を収束させる引き込み処理が行われる。
【００２６】
このように通常動作が行われているとき、特殊アンテナがアンテナ１として使用される場合は、アンテナの指向性を操作することができるため、デジタル放送信号が送信される方向に指向性を変化させることができ、図３（ａ）に示すように、周波数オフセットの変動の大きさが小さくなる。それに対して、無指向性の一般アンテナがアンテナ１として使用される場合は、指向性の操作が可能な特殊アンテナに比べて、図３（ｂ）に示すように、周波数オフセットの変動の大きさが大きくなる。
【００２７】
よって、ＡＦＣ部６の引き込み処理に利用する各パラメータが、アンテナ１を特殊アンテナとした場合と一般アンテナとした場合とによって適した値に変更することで、同期周波数制御値への収束速度を速めることができる。このとき、引き込み処理に利用するパラメータとして、例えば、引き込み処理のための制御ループにおけるループゲイン（周波数オフセット補正制御ステップ幅）と、制御ループに用いるループフィルタ内の積分時間とが、アンテナ１の種類に応じて変更される。
【００２８】
そして、パラメータの１つであるループゲインについては、ＳＴＥＰ５において設定される一般アンテナ用のループゲインが、ＳＴＥＰ６において設定される特殊アンテナ用のループゲインよりも小さい値となる。又、パラメータの１つであるループフィルタの積分時間については、ＳＴＥＰ５において設定される一般アンテナ用のループフィルタの積分時間が、ＳＴＥＰ６において設定される特殊アンテナ用のループフィルタの積分時間よりも長い値となる。
【００２９】
即ち、例えば、ＳＴＥＰ４において、アンテナ１が一般アンテナと判断されたとき、ＳＴＥＰ５において、一般アンテナ用のパラメータとして、０．０１となるループゲインと、２０シンボルとなるループフィルタの積分時間とを、アンテナ制御情報記憶部９より読み出し、又、ＳＴＥＰ４において、アンテナ１が特殊アンテナと判断されたとき、ＳＴＥＰ６において、特殊アンテナ用のパラメータとして、０．１となるループゲインと、３シンボルとなるループフィルタの積分時間とを、アンテナ制御情報記憶部９より読み出す。
【００３０】
これにより、周波数オフセットの変動の小さい特殊アンテナにおいて、同期周波数制御値の変化させるステップ幅を小さくするとともに、同期周波数制御値を変化させる時間を短くして、引き込み処理を行うための演算にかかる負担を低減させることができる。逆に、一般アンテナでは、周波数オフセットの変動が大きいため、正確な演算処理が可能となるように、パラメータ設定が行われる。
【００３１】
更に、このアンテナ１の種類を判別するためのアンテナ自動判別動作について、以下に説明する。
【００３２】
（アンテナ自動判別動作の第１例）
上述の初期設定動作におけるＳＴＥＰ３でのアンテナ自動判別動作の第１例について、以下に説明する。アンテナ自動判別部８では、デジタル信号となるベースバンド信号が入力されると、このベースバンド信号の値を測定することで、アンテナ１による受信電力が計測される。
【００３３】
このとき、図４に示すように、アンテナ１による受信電力を計測する計測期間ｍＴと、計測を行わないインターバル期間ｉＴとを繰り返し行う。そして、計測期間ｍＴがＮ回目となると、Ｎ回の計測期間ｍＴにおけるアンテナ１による受信電力の計測結果により、アンテナ１の種類を判別する。又、インターバル期間ｉＴ（例えば、１秒間）を計測期間ｍＴ（例えば、５０ｍ秒間）に比べて長い期間とすることで、伝送路特性の異なる複数の信号を受信し、統計的な信頼度を得ることができる。これにより、アンテナ自動判別に対する信頼性が高くなり、精度の高い判別が可能となる。
【００３４】
アンテナ１を一般アンテナ又は特殊アンテナとしたときの計測期間ｍＴで計測される受信電力の変動について、図５を参照して説明する。無指向性の一般アンテナをアンテナ１としたとき、移動を行わずに固定された受信装置で受信動作が行われると、無指向性であるために、伝送路の異なる信号を受信しても、図５（ａ）に示すように、アンテナ１による受信電力の変動は小さい。逆に、指向性を備えた特殊アンテナをアンテナ１としたときは、伝送路の異なる信号を受信すると、伝送路の方向と指向性の良好な方向と相対関係により受信電力が変化するため、図５（ｂ）に示すように、アンテナ１による受信電力の変動が大きくなる。
【００３５】
このように計測期間ｍＴでアンテナ１の受信電力の変動が計測されるとき、この計測期間ｍＴで計測されたアンテナ１の受信電力の最小値Ｍｉｎと最大値Ｍａｘとの差α（＝Ｍａｘ−Ｍｉｎ）が測定される。そして、測定された受信電力の最小値と最大値との差αを閾値βと比較し、受信電力の最小値と最大値との差αが閾値βより大きくなった計測期間ｍＴの回数ｎを計数する。
【００３６】
この計数結果により得られる計測期間ｍＴの回数ｎが、所定回数Ｎｔｈ以上となったとき、アンテナ１の受信電力の変動が大きいものと認識し、アンテナ１を特殊アンテナと判別する。逆に、この計数結果により得られる計測期間ｍＴの回数ｎが、所定回数Ｎｔｈより少ないとき、アンテナ１の受信電力の変動が小さいものと認識し、アンテナ１を一般アンテナと判別する。
【００３７】
（アンテナ自動判別動作の第２例）
又、上述の初期設定動作におけるＳＴＥＰ３でのアンテナ自動判別動作の第２例について、以下に説明する。本例では、第１例の場合と異なり、インターバル期間の長さを異なるものとして、アンテナ自動判別に対する統計的な信頼性を高くする。尚、計測期間ｍＴについては、第１例と同様の長さとする。又、Ｎ回の計測期間ｍＴと各計測期間ｍＴの間のＮ−１回のインターバル期間とによる期間の長さは、第１例のＮ回の計測期間ｍＴとＮ−１回のインターバル期間ｉＴとによる期間の長さに等しいものとする。
【００３８】
即ち、本例では、図６に示すように、ｋ回目（ｋは、１≦ｋ≦Ｎ−１の整数）とｋ＋１回目の計測期間ｍＴの間のｋ回目のインターバル期間をインターバル期間ｉＴｋとしたとき、インターバル期間ｉＴ１〜ｉＴ（Ｎ−１）の長さをランダムな値とする。そして、Ｎ回の計測期間ｍＴとＮ−１回のインターバル期間ｉＴ１〜ｉＴ（Ｎ−１）とによる全期間の長さＴは、第１例における計測の全期間の長さＮ×（ｍＴ＋ｉＴ）−ｉＴと等しい値となる。
【００３９】
このようにして、インターバル期間ｉＴ１〜ｉＴ（Ｎ−１）それぞれの長さをランダムな値として、Ｎ回の計測期間ｍＴを時間軸上に配置したとき、第１例と同様にして、計測期間ｍＴでアンテナ１の受信電力の最小値と最大値との差αを算出し、閾値βと比較する。そして、受信電力の最小値と最大値との差αが閾値βより大きくなる計測期間ｍＴを計数して、その計数した回数ｎを所定回数Ｎｔｈと比較することで、アンテナ１が一般アンテナ及び特殊アンテナのいずれであるのか判別する。この判別動作については、第１例と同様であるので、第１例を参照するものとして、その説明は省略する。
【００４０】
尚、上述のアンテナ自動判別動作の第１例及び第２例において、アンテナ１の受信電力の最小値と最大値の差αが閾値βより大きくなる計測期間ｍＴを計数して得た回数によって、アンテナ１の種類を判別するものとした。しかしながら、Ｎ回の計測期間ｍＴそれぞれで計測された受信電力の最小値と最大値との差αによる平均値αａｖを閾値βと比較することによって、アンテナ１の種類を判別するものとしても構わない。即ち、受信電力の最小値と最大値との差による平均値αａｖが閾値βより大きくなるときは、アンテナ１が特殊アンテナであるものと判別し、逆に、受信電力の最小値と最大値との差による平均値αａｖが閾値β以下となるときは、アンテナ１が特殊アンテナであるものと判別する。
【００４１】
＜第２の実施形態＞
本発明の第２の実施形態について、図面を参照して説明する。図７は、本実施形態における受信装置の内部構成を示すブロック図である。尚、図７の受信装置において、図１の受信装置と同一の部分については同一の符号を付して、その詳細な説明は省略する。
【００４２】
図７の受信装置は、図１の受信装置におけるアンテナ自動判別部８の代わりに、全体の動作制御を行うＣＰＵ１１と、ＣＰＵ１１で処理されるプログラムや演算処理時に得られた一時的な演算結果を記録するメモリ１２と、インターネットなどの外部のネットワークと接続することでサーバ１００と通信を行う通信インターフェース１３と、各ブロック間のデータのやりとりを行うためのバス回線１４とを備える構成となる。尚、バス回線１４によって、チューナ３、ＡＤ変換部５、ＡＦＣ制御部１０、ＣＰＵ１１、メモリ１２、及び通信インターフェース１３の間におけるデータのやりとりが行われる。
【００４３】
このように構成される受信装置において、初期設定動作において、通信インターフェース１３によってサーバ１００と通信を行うことで、アンテナ１の種類の自動判別動作及びＡＦＣ部６のパラメータ設定が行われる。このときの動作について、図８のフローチャートを参照して説明する。
【００４４】
まず、アンテナ１がアンテナ接続端子２に接続されて初期設定動作が開始されると（ＳＴＥＰ１１）、アンテナ自動判別動作を行うことを示す通知信号を通信インターフェース１３よりサーバ１００へ送信する（ＳＴＥＰ１２）。サーバ１００では、通知信号を受信すると、受信装置に対して受信動作を開始することを指示する（ＳＴＥＰ１３）。これにより、受信装置では、チューナ３による選局動作が行われるとともに直交復調部４による直交復調動作が行われるとともに、ＡＤ変換部５によるアナログ／デジタル変換が行われる（ＳＴＥＰ１４）。
【００４５】
このＡＤ変換部５でデジタル信号に変換されたベースバンド信号が通信インターフェース１３よりサーバ１００へ送信されることで（ＳＴＥＰ１５）、サーバ１００においてアンテナ自動判別動作が行われる（ＳＴＥＰ１６）。即ち、サーバ１００では、第１の実施形態で説明したアンテナ自動判別動作の第１例又は第２例と同様の動作を行うことで、受信装置から送信されるベースバンド信号に基づいて、アンテナ１の受信電力の変動量を測定し、アンテナ１の種類を判別する。
【００４６】
そして、ＳＴＥＰ１６におけるアンテナ自動判別動作の結果より、判別されたアンテナ１の種類が一般アンテナであるか否かが確認される（ＳＴＥＰ１７）。このとき、一般アンテナであることが確認されると（ＳＴＥＰ１７  Ｙｅｓ）、一般アンテナに対するパラメータがサーバ１００より受信装置に送信され（ＳＴＥＰ１８）、一般アンテナに対するパラメータを受信した受信装置において、一般アンテナに対するパラメータがＡＦＣ制御部１０に与えられる（ＳＴＥＰ１９）。又、特殊アンテナであることが確認されると（ＳＴＥＰ１７  Ｎｏ）、特殊アンテナに対するパラメータがサーバ１００より受信装置に送信され（ＳＴＥＰ２０）、特殊アンテナに対するパラメータを受信した受信装置において、特殊アンテナに対するパラメータがＡＦＣ制御部１０に与えられる（ＳＴＥＰ２１）。そして、ＡＦＣ制御部１０が、サーバ１００より送信されたパラメータに基づいて、ＡＦＣ部６のパラメータ設定を行う（ＳＴＥＰ２２）。
【００４７】
このように、本実施形態によると、アンテナ自動判別動作を受信装置で行うことなく、サーバ１００で行うとともに、接続されたアンテナ１に対して必要となるＡＦＣ部６に与えるパラメータがサーバ１００から送信されるため、アンテナ自動判別部８及びアンテナ制御情報記憶部９を新たに設ける必要がない。即ち、受信装置の初期設定を行う際、受信装置においては、通常の受信動作を行うだけで、自機器のパラメータ設定を行うことができる。又、作業者がアンテナの種類に応じた設定を行う必要がなくなるため、受信装置とアンテナとの接続作業を簡単なものとすることができる。
【００４８】
尚、このような構成にした場合、サーバ１００での演算処理が多くなるため、サーバ１００と通信を行う受信装置の数によっては、サーバ１００での負担が大きくなることもある。よって、サーバ１００からアンテナ自動判別動作を行うためのプログラムが受信装置に送信され、このプログラムを受信装置のメモリ１２に一時格納して、ＣＰＵ１がアンテナ自動判別動作を実行することで、接続されたアンテナ１の種類を受信装置で判別するようにしても構わない。このとき、判別したアンテナ１の種類をサーバ１００に通信インターフェース１３より送信して通知することで、サーバ１００が、受信したアンテナ１の種類に応じたパラメータを受信装置に送信することとなる。
【００４９】
又、上述の第１及び第２の実施形態において、アンテナ接続端子２に接続したアンテナ１の種類を示す入力を、受信装置に対して、作業者によって行うことができる構成としても構わない。作業者がアンテナの種類を受信装置に入力することで、アンテナの種類に応じたパラメータがＡＦＣ制御部９に与えられて、ＡＦＣ部６のパラメータ設定を行うことができる。更に、受信装置に設けるアンテナ接続端子２をアンテナ１の種類に応じて異なるものとして複数備えるものとし、アンテナ自動判別部８又はサーバ１００が、アンテナ１が接続されたアンテナ接続端子２からの信号に基づいてアンテナ種類を自動的に判別するものとしても構わない。
【００５０】
更に、上述の第１及び第２の実施形態において、作業者によって初期設定が行われるときに、アンテナ１の種類を判別してアンテナの種類に応じたパラメータによって、ＡＦＣ部６のパラメータ設定が行われるものとした。しかしながら、初期設定後においても、ユーザが指示することによって、アンテナ１の種類の自動判別動作を行って、ＡＦＣ部６のパラメータ設定が行われるように、任意のタイミングによって設定されるものとしても構わない。
【産業上の利用可能性】
【００５１】
本発明は、移動体通信を行う受信装置に適用可能であるとともに、更に、ＯＦＤＭ方式によるデジタル放送信号を受信する受信装置に適用可能である。
【図面の簡単な説明】
【００５２】
【図１】は、本発明の第１の実施形態における受信装置の内部構成を示すブロック図である。
【図２】は、図１の受信装置における初期設定動作を示すフローチャートである。
【図３】は、特殊アンテナ及び一般アンテナそれぞれを接続したときの周波数オフセットの変動状態を示す図である。
【図４】は、アンテナ自動判別動作の第１例におけるアンテナの受信電力の計測動作を示す図である。
【図５】は、特殊アンテナ及び一般アンテナそれぞれを接続したときの受信電力の変動状態を示す図である。
【図６】は、アンテナ自動判別動作の第２例におけるアンテナの受信電力の計測動作を示す図である。
【図７】は、本発明の第２の実施形態における受信装置の内部構成を示すブロック図である。
【図８】は、図７の受信装置とサーバとの間で行われる初期設定動作を示すフローチャートである。
【符号の説明】
【００５３】
１    アンテナ
２    アンテナ接続端子
３    チューナ
４    直交復調部
５    ＡＤ変換部
６    ＡＦＣ部
７    復調部
８    アンテナ自動判別部
９    アンテナ制御情報記憶部
１０    ＡＦＣ制御部
１１    ＣＰＵ
１２    メモリ
１３    通信インターフェース
１４    バス回線
【図１】
2008060832.tif 000003
【図２】
2008060832.tif 000004
【図３】
2008060832.tif 000005
【図４】
2008060832.tif 000006
【図５】
2008060832.tif 000007
【図６】
2008060832.tif 000008
【図７】
2008060832.tif 000009
【図８】
2008060832.tif 000010